(57)【要約】【課題】  遊技機の調整に支障を生じさせることなく、発射モータが落下物から保護されるようにすることである。【解決手段】  発射モータＭを取付けるために、該発射モータＭのフランジ部６５に対応する取付凹部６６が設けられたモータブラケットＤに、前記フランジ部６５の上側外周縁に近接して略山形形状で、発射モータＭの外径よりも大きな全幅Ｗと、発射モータＭにおけるモータブラケットＤからの突出長とほぼ同一の突出長を有する庇状の屋根部材Ｆ1 を設け、該屋根部材Ｆ1 によって発射モータＭの上部を覆うことにより、遊技機の球タンク１から落下する遊技球等の落下物が、前記発射モータＭに当たらないようにする。【選択図】        図６
2005270320.tif 000002
【特許請求の範囲】
【請求項１】
発射モータに取付けられた発射モータカムの連続回転により、槌が弾発回動して遊技球を打つ構成の遊技機において、前記発射モータの直上方に、該発射モータの上部を覆うべく庇状の屋根部材を取付けたことを特徴とする遊技機。
【発明の詳細な説明】
【技術分野】
【０００１】
本発明は、発射モータに取付けられた発射モータカムの連続回転により、槌が弾発回動して遊技球を打つ構成の遊技機に関するものである。
【背景技術】
【０００２】
従来の技術を説明するに当り、本実施例の遊技機の図面を援用する。また、本明細書では、遊技者が操作ハンドルを操作することによって、発射モータを作動させて遊技球を打つ構成の遊技機について説明する。図１及び図２に示されるように、正面視における遊技機の右下部分にハンドル装置Ａが配設されていて、該ハンドル装置Ａの裏面部で背面視における左下部分に発射装置Ｂが配設されている。また、遊技機の裏面部の上部には、遊技球（図示せず）を貯留するための球タンク１と、入賞時に球タンク１に貯留された遊技球を賞球として払い出すために、前記球タンク１と連続してタンクレール２が取付けられている。遊技機の裏面部には、上記した発射装置Ｂ、球タンク１、タンクレール２以外に、払出し装置３等の各種の装置が取付けられている。
【０００３】
従来の遊技機の発射装置Ｂでは、発射モータＭの大部分が、遊技機の基枠３２よりも背面側に露出しているため、落下物が当たって損傷するおそれがある。例えば、球タンク１に供給された遊技球が相互に衝突したり、球タンク１のタンク壁部１ａに当たったりして球タンク１から飛び出して落下し、直下に取付けられた発射モータＭを損傷させるおそれがある。ここで、発射モータＭの全体をカバー体で覆う技術が公知である（特許文献１ないし３参照）。しかし、上記の各技術では、発射モータを支持するためのベース板に対して別体のカバー体が、前記発射モータの全体を覆っている構成であるため、発射モータの放熱性が悪化すると共に、組立や分解が面倒になる。また、前記カバー体が大きなスペースを占有することにより、槌の打球位置の調整（心合せ調整）に支障が生ずるおそれがある。
【特許文献１】特開平１１−１１４１５３号公報
【特許文献２】特開平８−８４４５１号公報
【特許文献３】特許第２８０７６４０号公報
【発明の開示】
【発明が解決しようとする課題】
【０００４】
本発明は、上記した不具合に鑑み、遊技機の調整に支障を生じさせることなく、発射モータが落下物から保護されるようにすることを課題としている。
【課題を解決するための手段】
【０００５】
上記課題を解決するための第１解決手段（請求項１の発明）は、発射モータに取付けられた発射モータカムの連続回転により、槌が弾発回動して遊技球を打つ構成の遊技機において、前記発射モータの直上方に、該発射モータの上部を覆うべく庇状の屋根部材を取付けたことを特徴としている。
【０００６】
遊技機の遊技中に、遊技球等の落下物があっても、発射モータの直上方に取付けられた屋根部材に阻止されて発射モータに直接当たることがなく、発射モータを損傷するおそれがない。
【０００７】
また、第２解決手段は、第１解決手段において、前記屋根部材は、傾斜して設けられていることを特徴としている。この発明では、落下物が、屋根部材の上面に滞留するおそれがない。
【０００８】
また、第３解決手段は、第１又は第２解決手段において、前記屋根部材は、左右方向のほぼ中央部を頂点とする略山形状であり、発射モータの外形状にほぼ沿って設けられていることを特徴としている。この発明では、屋根部材に落下した落下物は、左右方向の両側に分かれて落下する。このため、落下物が、いずれかの側に片寄って落下して滞留することはない。
【０００９】
また、第４解決手段は、第１ないし第３解決手段のいずれかにおいて、前記屋根部材は、発射モータが支持されるモータブラケットに一体にして設けられていることを特徴としている。この発明では、屋根部材のみを組み付けたり、取り外したりする作業が不要である。
【発明の効果】
【００１０】
本発明は、発射モータに取付けられた発射モータカムの連続回転により、槌が弾発回動して遊技球を打つ構成の遊技機において、前記発射モータの直上方に、該発射モータの上部を覆うべく庇状の屋根部材を取付けたことを特徴としている。このため、遊技中に遊技球等の落下物があっても、屋根部材に阻止されて発射モータに直接当たることがないため、前記発射モータを損傷するおそれがない。
【発明を実施するための最良の形態】
【００１１】
以下、本発明の最良実施例を挙げて、本発明を更に詳細に説明する。図１は遊技機におけるハンドル装置Ａの部分の正面図、図２は同じく概略背面図、図３はハンドル装置Ａの分解斜視図、図４はハンドル受け６の正面図、図５はハンドル装置Ａの側面断面図である。
【実施例１】
【００１２】
図１及び図２に示されるように、本実施例の遊技機は、正面視における右下部分にハンドル装置Ａが配設されていて、該ハンドル装置Ａの裏面部で背面視における左下部分に発射装置Ｂが配設されている。ハンドル装置Ａについて説明する。図１及び図３に示されるように、ハンドル装置Ａは、遊技機の下皿装置５の部分に取付けられるハンドル受け６と、遊技者により回動される操作ハンドル７と、前記操作ハンドル７が抜け落ちることを防止するためのキャップ体８とから構成されている。ハンドル受け６について説明する。図３及び図５に示されるように、ハンドル受け６は、椀状の受け部本体９の軸心部分に軸支持部１１が設けられた形態であり、受け部本体９と軸支持部１１の軸心部分にはハンドル軸１２が挿通されている。該ハンドル軸１２は、軸支持部１１の先端部と受け部本体９に装着された各ブッシュ１３，１４により、回動可能に支承されている。
【００１３】
図３及び図４に示されるように、ハンドル受け６の受け部本体９におけるほぼ中央部の上部と下部には、円柱状のキャップ体取付部１５が３本突設されている。各キャップ体取付部１５の一方側（図４の図面視における右側）には、タッチングモジュール１６が取付けられていて、同じく他方側（左側）には、リミットスイッチ１７と、該リミットスイッチ１７を作動させるための発射停止レバー１８が、支点ピン１９により回動可能に取付けられている。前記タッチングモジュール１６は、ねじりコイルばね２１（後述）を介して操作ハンドル７と導通されていて、遊技者が操作ハンドル７に触れたときの静電容量の変化を検出して、発射モータＭ（図２参照）を作動させるという機能を有していて、前記リミットスイッチ１７は、発射モータＭを一時停止させるという機能を有している。即ち、通常の遊技状態で、発射停止レバー１８は、リミットスイッチ１７の作動片１７ａによって押し戻されていて、前記発射停止レバー１８の先端部（押しボタン部１８ａ）は、受け部本体９に形成された切欠部９ａを介して該受け部本体９の外周面よりも外側に突出されている。このため、遊技者は、操作ハンドル７を操作したまま発射停止レバー１８の押しボタン部１８ａを押すことができる。遊技中に、発射停止レバー１８の押しボタン部１８ａが押されると、リミットスイッチ１７が作動して、発射モータＭの回転が一時停止される。
【００１４】
図３ないし図５に示されるように、前記ブッシュ１３，１４のうち、受け部本体９に取付けられるブッシュ１４は、ブッシュ１３と協働してハンドル軸１２を回動可能に支持する機能の他に、操作ハンドル７とタッチングモジュール１６とを連結するねじりコイルばね２１を支持する機能、及びタッチングモジュール１６とリミットスイッチ１７が落下しないように押さえるという機能を有している。ブッシュ１４は、略円筒状のブッシュ本体２２の外周部分に、同心円状にして略円筒状のばね支持部２３が設けられた形態であり、前記ブッシュ本体２２と前記ばね支持部２３との間には、ねじりコイルばね２１を収容するためのばね収容溝部２４が形成されている。ばね支持部２３の外周部分は、ねじりコイルばね２１の奥側（装置側）のフック２１ａ（後述）を通すために軸方向に切除されていて、フック通し部２３ａが形成されている。また、ばね支持部２３の奥側の端部からは、タッチングモジュール１６を押さえるための２本の押え板２５が、軸直角方向に所定の角度をおいて、しかも、前記フック通し部２３ａに臨んで突設されていると共に、手前側（遊技者側）の端部からは、リミットスイッチ１７を押さえるための押えフランジ２６が延設されている。前記押えフランジ２６は、ブッシュ１４の取付状態でリミットスイッチ１７のほぼ全体と、支点ピン１９の半分以上を押さえている。そして、ブッシュ１４が組み付けられるときに、リミットスイッチ１７の作動片１７ａが確実に発射停止レバー１８に係止されているか否かを確認できるように、前記作動片１７ａと対応する部分に逃し部２６ａが設けられている。
【００１５】
図３ないし図５に示されるように、前記ねじりコイルばね２１の一端部（奥側の端部）は接線方向に延設されていて、その先端部が略Ｕ字状に屈曲されて、フック２１ａが形成されている。同じく他端部（手前側の端部）は、略Ｕ字状に屈曲されていて、フック２１ｂが形成されている。ねじりコイルばね２１は、軸心をブッシュ本体２２の軸心とほぼ合致させて、ばね収容溝部２４に収容される。収容状態で、ねじりコイルばね２１の奥側のフック２１ａは、ばね支持部２３のフック通し部２３ａを介してブッシュ１４の外部に飛び出しており、タッチングモジュール１６の端子に掛けられる（図４参照）。そして、ばね支持部２３から延設された上側の押え板２５との間に介装され、取付ねじ２７によって一体に取付けられる。この結果、ねじりコイルばね２１が移動不能に保持される。また、ねじりコイルばね２１の手前側のフック２１ｂは押えフランジ２６よりも少し手前側に配置されていて、ハンドル受け６に操作ハンドル７が取付けられた状態で、該操作ハンドル７の裏面部に突設されたフック引掛部７ａに引っ掛けられる。これにより、操作ハンドル７には、ねじりコイルばね２１のねじり力が作用すると共に、ねじりコイルばね２１を介してタッチングモジュール１６と電気的に接続される。即ち、合成樹脂製の操作ハンドル７は、表裏全体に亘ってメッキがかけられている。それゆえ、フック引掛部７ａもメッキがかかっている。操作ハンドル７を握ってその表面に接触する遊技者の手は、表面のメッキ層、操作ハンドル７のフック引掛部７ａ、ねじりコイルばね２１を介してタッチングモジュール１６の端子に電通される。換言すると、遊技者が操作ハンドル７を握ると、タッチングモジュール１６が静電容量の変化を検出する。それによって、発射モータＭが作動される。また、操作ハンドル７を離すと、同様にタッチングモジュール１６が静電容量の変化を検出し、発射モータＭが停止される。また、操作ハンドル７は、ねじりコイルばね２１のねじり力に抗して回動されると共に、ねじり力によって戻される。即ち、操作ハンドル７は、ねじりコイルばね２１によって直接戻されるため、該操作ハンドル７に「遊び」があっても、確実に戻される。このときのねじりコイルばね２１は、ブッシュ１４のばね収容溝部２４に収容されていて、該ねじりコイルばね２１はブッシュ本体２２にガイドされながら周方向にのみねじられるため、ねじりコイルばね２１が周囲の部材に接触することはない。図４において、回動状態の操作ハンドル７を二点鎖線で示す。
【００１６】
図３及び図４に示されるように、前記操作ハンドル７の外周面には、遊技者の指を当てがうための２個の指当て部７ｂが設けられていると共に、その裏面部には、ハンドル軸１２の端部を回り止め状態で連結するための連結ボス２８と、前述したフック引掛部７ａとが突設されている。操作ハンドル７の正面板部２９には、前記連結ボス２８の軸心を中心として、円弧状に２本の回動規制溝２９ａが設けられている。
【００１７】
次に、キャップ体８について説明する。図３及び図５に示されるように、キャップ体８は、ハンドル受け６に取付けられた操作ハンドル７が落下することを防止するためのもので、その裏面部に、ハンドル受け６の各キャップ体取付部１５に対応するねじ取付部８ａが突設されている。キャップ体８は、前記各ねじ取付部８ａが、操作ハンドル７の回動規制溝２９ａに挿通された後、対応するキャップ体取付部１５に嵌め込まれ、背面部から挿通された各取付ねじ３１によってハンドル受け６に固定される。この状態で、操作ハンドル７は、各回動規制溝２９ａの形成角度の分だけ回動可能である。
【００１８】
次に、発射装置Ｂについて説明する。図６は発射装置Ｂの全体斜視図、図７は同じく正面図、図８は同じく背面図、図９はモータブラケットＤと槌３４を取り外した状態における発射装置Ｂの正面図、図１０はモータブラケットＤの部分の分解斜視図である。図６及び図７に示されるように、本実施例の発射装置Ｂは、遊技機の基枠３２の裏面部に取付けられるベース板３３に配設されている。図８に示されるように、ベース板３３のほぼ中央部には、槌３４を回動可能に支持するドラム体３５（図９参照）を収容するためのドラム体収容部３６が設けられている。また、ベース板３３の端部には、連結軸３７を回動可能に支承するための軸支承部３８が設けられている。前記連結軸３７には、操作ハンドル７のハンドル軸１２の回り止め部１２ａ（図５参照）を係合させるための係合孔３７ａが、周方向に３等分された状態で設けられている。連結軸３７の先端部は、ベース板３３の表面部（遊技機の背面部）に突出していて、当該突出部分に弾発力調整カム３９が取付けられている（図９参照）。操作ハンドル７のハンドル軸１２は、連結軸３７を介して弾発力調整カム３９と連結されていて、操作ハンドル７と弾発力調整カム３９とは一体となって回動される。なお、図６において、４０は球供給アームである。
【００１９】
図９に示されるように、ベース板３３の表面部には、槌３４の弾発力を調整するためのスライド体４１が、ベース板３３に対して左右方向にスライド可能に取付けられている。該スライド体４１には、前記ドラム体３５との干渉を避けるための長孔（ドラム体挿通孔４１ａ）と、ベース板３３に取付けられたコマ体４２を嵌合するためのガイド溝４１ｂが設けられている。前記ガイド溝４１ｂは段付き溝であり、前記コマ体４２は、ガイド溝４１ｂの段差部分に抜け止め状態で取付けられている。また、図８に示されるように、ベース板３３における軸支承部３８の上部には、左右方向に沿って長孔状のガイド溝３３ａが設けられていて、前記スライド体４１の端部に設けられたスライド支持部４３が、ガイド溝３３ａに嵌合され、ベース板３３の裏面部に突出している。上記した結果、スライド体４１は、前記コマ体４２と前記スライド支持部４３とによってガイドされて、左右方向にスライド可能である。
【００２０】
図９に示されるように、前記スライド体４１の一端部で、スライド支持部４３の直下部分にはカムローラ４４が回転自在にして側方に突設されていて、弾発力調整カム３９のカム面に摺接されている。操作ハンドル７の無回動状態で、カムローラ４４は、弾発力調整カム３９のカム面３９ａにおける最も低い位置（カム面３９ａの始端部）と摺接されている。遊技者が操作ハンドル７を回動させると、弾発力調整カム３９が同方向に回動される。例えば、遊技開始時に、遊技者がハンドル停止位置から操作ハンドル７を回動させると、弾発力調整カム３９が図９の図面視における反時計回りの方向に回動される。すると、カムローラ４４が、前記弾発力調整カム３９のカム面３９ａによって右方向に押され、スライド体４１全体が右方向にスライドされる。前記スライド体４１の他端部には、引張りばね４５の一端部を引っ掛けるためのばね引掛部４６が突設されている。引張りばね４５の一端部は、スライド体４１のばね引掛部４６に引っ掛けられると共に、他端部は、槌３４に取付けられた槌支持板４７のばね引掛部４８に引っ掛けられている。
【００２１】
次に、槌３４について説明する。槌３４は、連続回転する発射モータカム５２により、ドラム体３５の軸心Ｃ1 を中心として弾発回動されて、遊技球を打つ。図９及び図１０に示されるように、槌３４は、ベース板３３に取付けられた上下の各当てゴム４９，５１に対して斜めに交差した状態で配置されている。槌３４の正面部には、金属より成る槌支持板４７が取付けられていて、該槌支持板４７には、引張りばね４５の他端部を引っ掛けるためのばね引掛部４８と、発射モータカム５２に摺接するローラ５３が回転自在に取付けられている。前述したように、遊技者が操作ハンドル７を回動させることにより、スライド体４１がスライドされる。操作ハンドル７の回動量が大きくなると、スライド体４１のスライド量も大きくなり、同時に、引張りばね４５の伸長量も大きくなる。この結果、槌３４の弾発回動力が大きくなり、槌３４が遊技球を打つ強さも強くなる。槌３４は、遊技球を打った後、上下の各当てゴム４９，５１に当接して停止される。
【００２２】
次に、各当てゴム４９，５１について説明する。槌３４が遊技球を打つときの打撃力及び打球位置は、常に一定であることが望ましい。このためには、槌３４の打球位置を正確に定める必要がある（心合せ調整）。図１１ないし図１３に示されるように、上下の各当てゴム４９，５１は、各偏心キャップ体５４に装着されていて、各偏心キャップ体５４を回動させることにより、槌３４の打球位置を微調整することができる。上下の各当てゴム４９，５１の構成は殆ど同一であるため、下側の当てゴム５１についてのみ説明する。図１１及び図１２に示されるように、ベース板３３における左右方向のほぼ中央部の下部には、円板状の台座５５が設けられていて、該台座５５の中心部（軸心Ｃ2 ）に円柱状のねじ取付部５６が突設されている。また、台座５５における斜め左上の部分には、円弧状の回動案内溝部５５ａが、前記軸心Ｃ2 と同心にして形成されている。本実施例の遊技機の場合、回動案内溝部５５ａの形成角度は、約１８０°である。前記ねじ取付部５６には、樹脂（本実施例の場合、アセタール樹脂）の薄板より成る敷板５７が装着される。前記敷板５７はリング状であり、その軸心部分には、ねじ取付部５６を挿通させるための挿通孔５７ａが設けられている。
【００２３】
前記偏心キャップ体５４は、円筒形状で、断面形状が全長に亘って同一の当てゴム５１を軸方向に押圧するために、当てゴム５１とほぼ同一の外径を有する押圧板５８の一方側に、当てゴム５１を装着させるための当てゴム装着軸部５９が設けられていて、他方側に、つまみ６１が設けられた形態である。当てゴム装着軸部５９の内径は、当てゴム５１の内径よりも僅かに小さい。そして、前記当てゴム装着軸部５９には、ねじ取付部５６を挿入させるための挿入孔５９ａが設けられている。また、図１２及び図１３に示されるように、偏心キャップ体５４がねじ取付部５６に取付けられたとき、ねじ取付部５６は、台座５５の中心部（軸心Ｃ2 ）と同心であるが、当てゴム装着軸部５９における当てゴム装着面の軸心Ｃ3 は、前記ねじ取付部５６の軸心Ｃ2 と偏心量ｅだけずれている。当てゴム装着軸部５９の先端部には、ガイドボス５９ｂが突設されている。該ガイドボス５９ｂは敷板５７から突出され、台座５５の回動案内溝部５５ａに嵌まり込む。このため、前記敷板５７におけるガイドボス５９ｂと対応する部分には、敷板５７の挿通孔５７ａに連続するボス通し孔５７ｂが設けられている。
【００２４】
図１１に示されるように、つまみ６１は、作業者が偏心キャップ体５４を回動させやすくするためのもので、先端部が徐々に細くなった略円筒形状を呈している。該つまみ６１は、図１２に示されるように、押圧板５８における当てゴム装着軸部５９の取付面と反対側の面に、しかも、当てゴム装着軸部５９の挿入孔５９ａの軸心Ｃ2 と同心にして取付けられている。つまみ６１の先端部には、軸直角方向にスリット６１ａが設けられていて、つまみ６１を回動させる際に、当該スリット６１ａに工具等（図示せず）を挟み込むことができる。そして、押圧板５８における挿入孔５９ａの軸心Ｃ2 と対応する部分には、取付ねじ６２を挿通させるためのねじ挿通孔５８ａが設けられている。
【００２５】
前記当てゴム５１は、敷板５７と偏心キャップ体５４の押圧板５８との間に介装されて台座５５のねじ取付部５６に嵌め込まれ、槌３４の側面部と当接される。この状態で、作業者が、つまみ６１を把持して偏心キャップ体５４をいずれかの方向に回動させると、当てゴム５１が回動される。偏心キャップ体５４における当てゴム装着軸部５９における当てゴム装着面の軸心Ｃ3 は、当てゴム装着軸部５９の挿入孔５９ａの軸心Ｃ2 と偏心して設けられているため、偏心キャップ体５４を回動させることにより、槌３４と当てゴム５１との当接位置がずれる。即ち、偏心キャップ体５４を、図１３の図面視における時計回りの方向に約９０°回動させると、当てゴム５１は偏心量ｅの分だけ右側に突出し、反時計回りの方向に約９０°回動させると、当てゴム５１は偏心量ｅの分だけ左側に突出する。これにより、槌３４は軸心Ｃ2 を中心として回動されて、槌３４の打球位置が微調整される。
【００２６】
図１１及び図１２に示されるように、前記当てゴム５１は、敷板５７を介してベース板３３の台座５５に押え付けられている。敷板５７の摩擦力は、当てゴム５１の摩擦力よりも小さい。しかも、偏心キャップ体５４のガイドボス５９ｂは、敷板５７のボス通し孔５７ｂを通って、台座５５の回動案内溝部５５ａに嵌まり込んでいて、前記偏心キャップ体５４を回動させると、当てゴム５１は敷板５７と一体となって回動される。この結果、敷板５７が存しない場合と比較して、前記当てゴム５１をスムーズに回動させることができ、槌３４の打球位置の微調整が容易である。槌３４の心合せ調整が終了した後、押圧板５８のねじ挿通孔５８ａに挿通された取付ねじ６２が、ねじ取付部５６のねじ孔５６ａに螺合されることによって、当てゴム５１が回動不能に固定される。本実施例の遊技機では、当てゴム５１自体を偏心して取付ける構造ではなく、偏心キャップ体５４の当てゴム装着軸部５９に偏心状態で挿入孔５９ａを設け、前記当てゴム装着軸部５９に当てゴム５１を装着する構成であるため、前記当てゴム５１は、市販品を使用することができる。
【００２７】
次に、モータブラケットＤについて説明する。モータブラケットＤは、発射モータＭを取付けるためのものである。図６、図７及び図１０に示されるように、モータブラケットＤは、後述する指挿入空間Ｑを確保するために、正面視において左上のコーナー部が切除された略方形状の取付板部６３の周縁部に、支持板部６４が全周に亘って略直角に延設された形態である。取付板部６３において、発射モータＭが取付けられる部分には、発射モータＭのフランジ部６５に対応する取付凹部６６が設けられている。発射モータＭは、フランジ部６５を取付凹部６６に嵌まり込ませた後、各取付ねじ６７が締め込まれることによって、モータブラケットＤに固着される。また、モータブラケットＤにおける上部の支持板部６４には、逆転防止部材Ｇを通すための通し孔６４ａと、槌３４の打球位置を調整するための切欠部６４ｂとが設けられている（後述）。モータブラケットＤが、各取付ねじ６９によってベース板３３に取付けられると、上端部を除く槌３４の大部分、上下の各当てゴム４９，５１、及び弾発力調整カム３９の部分が覆われる（図７参照）。これにより、上記した各部材が保護される。なお、図１０において、６６ａは、発射モータＭのフランジ部６５のボス孔６５ａに挿通される位置決め用のボスであり、６８は、配線（図示せず）を束ねて保持するための配線保持爪である。
【００２８】
図７に示されるように、本実施例のモータブラケットＤの取付板部６３の上部には、発射モータＭの上部を覆うべく、正面視において略山形形状（略「へ」の字状）の屋根部材Ｆ1 が、モータブラケットＤと一体となって庇状に突設されている。屋根部材Ｆ1 は、発射モータＭの軸心の直上部分よりも少し右側の部分を頂上部７１として、それぞれ斜め下方に延設された２枚の屋根板部７１a,７１b より構成されている。各屋根板部７１a,７１b は、発射モータＭのフランジ部６５の上側外周縁にほぼ沿って設けられていて、その全幅Ｗ（左右方向の長さ）は、発射モータＭの外径よりも少し大きい。同じく、モータブラケットＤからの突出長（奥行方向の長さ）は、発射モータＭにおけるモータブラケットＤからの突出長とほぼ同一である（図６参照）。そして、モータブラケットＤがベース板３３に取付けられたとき、発射装置Ｂの正面視における左側の屋根板部７１ｂの上方に、槌３４の心合せ調整等を行う際に、作業者が指を挿入するための指挿入空間Ｑが形成される。図２に示されるように、モータブラケットＤの頂上部７１は、遊技機の球タンク１の壁部１ａのほぼ直下に配置されるように設けられている。ここで、左側の屋根板部７１ｂは、できるだけ大きな指挿入空間Ｑを確保するために、右側の屋根板部７１ａよりも薄くなっている。そして、薄くしたことによる強度不足を補うために、上部が僅かに凸状となった弓なり形状を呈している。
【００２９】
上記したように、発射モータＭの上部が屋根部材Ｆ1 に覆われているため、遊技球等の落下物が発射モータＭに当たることが防止されると共に、発射モータＭの下部が開放されているため、放熱性が損なわれることもない。また、各屋根板部７１a,７１b が傾斜して設けられているため、それらの上面に落下物が滞留することもない。屋根部材Ｆ1 に落下した落下物は、左右方向の両側に分かれて落下するため、前記落下物が、いずれかの側に片寄って落下して滞留することはない。しかも、各屋根板部７１a,７１b と発射モータＭとの間の隙間Ｖも狭くなっていて、当該隙間Ｖに落下物等が入り込むことも防止される。
【００３０】
本実施例の遊技機の発射装置Ｂの場合、屋根部材Ｆ1 は略山形形状である。そのため、発射モータＭは、該屋根部材Ｆ1 に対応して、フランジ部６５の対角線方向を高さ方向に沿わせてモータブラケットＤに取付けられている。これにより、屋根部材Ｆ1 と発射モータＭとの隙間Ｖを一層狭くできるという利点がある。しかし、発射モータＭのフランジ部６５の上縁部を水平にして取付けても構わない。
【００３１】
そして、図１０及び図１４に示されるように、モータブラケットＤの取付板部６３の裏面部に設けられた軸部６３ａには、逆転防止部材Ｇが回動可能に装着されている。逆転防止部材Ｇは、円筒状の回動支持部７３と、該回動支持部７３から直径方向に延設され、取付状態においてモータブラケットＤの通し孔６４ａから突出される操作部７４と、前記回動支持部７３から操作部７４の反対方向に延設され、ラチェット歯車７２の歯部に係合される係合片７５とを備えている。通常の状態で、逆転防止部材Ｇの係合片７５がラチェット歯車７２の歯部と係合していて、発射モータカム５２の逆転防止が図られて、遊技球の「２個打ち」が防止される。そして、調整時に、作業者が操作部７４を押し込むと、前記係合片７５とラチェット歯車７２の歯部との係合が解除される。
【００３２】
図１０及び図１４に示されるように、モータブラケットＤの支持板部６４において、ラチェット歯車７２の直上部分は切除されていて、前記ラチェット歯車７２の外径とほぼ同じ長さを有する切欠部６４ｂが形成されている。作業者が槌３４の打球位置を調整するとき、遊技機の背面部から屋根部材Ｆ1 の奥行方向に沿って指を差し入れ、差し入れた指をラチェット歯車７２の歯部に押し付けながら、該ラチェット歯車７２を回転（正転）させる。モータブラケットＤの支持板部６４に切欠部６４ｂが設けられているため、差し入れた指をラチェット歯車７２の歯部に当てがいやすく、該ラチェット歯車７２を回転させる操作が容易である。また、ラチェット歯車７２を逆転させるときには、別の指で逆転防止部材Ｇの操作部７４を押し込み、ラチェット歯車７２の歯部との係合を解除させた状態でラチェット歯車７２を回転させる。これにより、発射モータカム５２を所定方向に回転させることができる。この結果、槌３４を、いずれの方向にも回動させることができる。本実施例の遊技機では、屋根部材Ｆ1 が設けられていることによって、ラチェット歯車７２を回動させる操作に支障は生じない。更に、前記屋根部材Ｆ1 は、モータブラケットＤと一体に設けられているため、屋根部材Ｆ1 の組付作業は不要であり、従来の場合と比較して、組付作業に手間がかかることもない。
【００３３】
本実施例の遊技機において、遊技者が遊技をするときの作用について説明する。図４に示されるように、遊技者が、操作ハンドル７を回動させると、発射モータＭが作動し、発射モータカム５２が回転する。これにより、槌３４が弾発回動して遊技球が発射される。前記操作ハンドル７の回動と共に、ねじりコイルばね２１もねじられる。該ねじりコイルばね２１は、ブッシュ１４におけるばね収容溝部２４に収容されていて、ほぼ同一平面内でねじられるため、ねじりコイルばね２１が操作ハンドル７のフック引掛部７ａ以外の部分と誤って接触するおそれはない。遊技者が操作ハンドル７を回動させている力を緩めると、操作ハンドル７はねじりコイルばね２１と引張りばね４５との弾性復元力により、無動力で戻される。
【００３４】
遊技機の遊技中、球タンク１等から遊技球が落下しても、屋根部材Ｆ1 に当り、発射モータＭに直接当たることは起こりにくい。このため、発射モータＭが損傷するおそれが少なくなる。前記屋根部材Ｆ1 は、傾斜して設けられているため、上面に落下物が滞留することもない。
【００３５】
次に、本実施例の遊技機を組み付けるときの作用について説明する。図３ないし図５に示されるように、ハンドル装置Ａが組み付けられるとき、ハンドル受け６にタッチングモジュール１６とリミットスイッチ１７が装着された状態で、ブッシュ１４が取付けられる。続いて、ブッシュ１４のばね収容溝部２４にねじりコイルばね２１が収容される。この状態で、リミットスイッチ１７は、ブッシュ１４の押えフランジ２６によって押さえられ、開口側に脱落することが防止される。ねじりコイルばね２１における装置側のフック２１ａが、前記ブッシュ１４の上側の押え板２５に押し付けられた状態で、取付ねじ２７が締め込まれ、ブッシュ１４、ねじりコイルばね２１は一体にしてタッチングモジュール１６に固定される。前記ねじりコイルばね２１のほぼ全体がブッシュ１４のばね収容溝部２４に収容されており、しかも、ねじりコイルばね２１における装置側のフック２１ａが不動状態で固定されている。このため、ねじりコイルばね２１がねじられても、該ねじりコイルばね２１は、ばね収容溝部２４に収容された状態をほぼそのまま保持して変形される。換言すれば、ねじりコイルばね２１は、ねじられることによって軸方向に変形することはなく、周方向に変形するのみである。この結果、ねじりコイルばね２１がねじられたときに、ハンドル軸１２等に接触するおそれが少なくなる。また、前記ブッシュ１４がハンドル軸１２を支持するという機能を損なうことなく、該ブッシュ１４により、タッチングモジュール１６とリミットスイッチ１７の脱落防止が図られる。即ち、新たな部材を取付けることなく、タッチングモジュール１６とリミットスイッチ１７の脱落防止が図られ、ハンドル装置Ａの組付けが容易になると共に、受け部本体９の狭い空間部を有効活用することができる。
【００３６】
上記したように、本実施例の遊技機では、操作ハンドル７とタッチングモジュール１６とが、電線ではなく、ねじりコイルばね２１によって電気的に接続されている。即ち、頻繁に回動される操作ハンドル７と、ハンドル受け６内に固定されているタッチングモジュール１６とを電線で接続する構造の場合、回動動作が繰り返される間に電線の位置がずれたり、該電線がねじれたりして、操作ハンドル７と擦れた結果、該操作ハンドル７の回動動作に支障をきたす場合がある。しかし、本実施例の遊技機では、操作ハンドル７とタッチングモジュール１６とを周方向に弾性変形するねじりコイルばね２１で接続しているため、上記した不具合が生じるおそれはない。また、前記ねじりコイルばね２１は、１つの部材で、操作ハンドル７を戻す機能と導通線の機能とを有しているため、ハンドル受け６の狭い空間内に各部品を配置し易い。
【００３７】
次に、槌３４の打球位置を微調整（心合せ調整）するときの作用について説明する。図１５に示されるように、槌３４における回動中心（軸心Ｃ1 ）から各当てゴム４９，５１との当接位置までの距離は、上の当てゴム４９との当接位置までの距離の方が長いため、最初に上側の当てゴム４９との当接位置が調整され、続いて、下側の当てゴム５１との当接位置が調整される。上側の当てゴム４９が装着された偏心キャップ体５４がセットされる。上側の偏心キャップ体５４のつまみ６１を、図１５の図面視における時計回りの方向に回動させると、当てゴム４９は、最大にして偏心量ｅだけ槌３４の側面部（当てゴム４９と押圧している部分）を押し込む。これにより、槌３４は、ドラム体３５の軸心Ｃ1 を中心に反時計回りの方向に回動される。この結果、槌３４の先端部３４ａは、最初の位置（実線で示される位置）から後退する。その状態を、図１５において一点鎖線で示す。逆に、上側の偏心キャップ体５４のつまみ６１を反時計回りの方向に回動させると、当てゴム４９は、最大にして偏心量ｅだけ槌３４の側面部（当てゴム４９と押圧している部分）から離れる。槌３４は、引張りばね４５の弾性復元力により、ドラム体３５の軸心Ｃ1 を中心に反時計回りの方向に回動される。この結果、槌３４の先端部３４ａは、最初の位置から前進する。その状態を、図１５において二点鎖線で示す。これにより、槌３４と上側の当てゴム４９との当接位置が微調整される。全く同様の作用により、槌３４の下端部と下側の当てゴム５１との当接位置が微調整される。上記した結果、弾発回動される槌３４は、上下の各当てゴム４９，５１により、確実に停止される。
【００３８】
ここで、各偏心キャップ体５４を回動させると、上下の各当てゴム４９，５１は、樹脂より成る敷板５７と一体となって回動される。敷板５７の摩擦係数は各当てゴム４９，５１の摩擦係数よりも小さいため、各当てゴム４９，５１を台座５５に直接接触させて回動させる場合、或いは、各当てゴム４９，５１を敷板５７に対して回動させる場合と比較して、容易に回動させることができる。この結果、槌３４の打球位置の調整作業が容易である。槌３４の打球位置が微調整されると、各取付ねじ６２が締め込まれて、各当てゴム４９，５１が固定される。
【００３９】
次に、図７に示されるように、ベース板３３の所定位置にモータブラケットＤが取付けられ、発射モータＭの上部が屋根部材Ｆ1 によって覆われる。これにより、発射モータＭが落下物から保護される。本実施例のモータブラケットＤ及び屋根部材Ｆ1 は、透明な樹脂材より成る。このため、槌３４の心合せ調整時に、作業者が発射モータカム５２やラチェット歯車７２等を視認することができ、槌３４の心合せ調整が一層容易である。
【実施例２】
【００４０】
第１実施例の屋根部材Ｆ1 は略山形形状で、フランジ部６５の対角線方向を高さ方向に沿わせて取付けられた発射モータＭにおける前記フランジ部６５の上縁部に沿って設けられている。このため、屋根部材Ｆ1 の上方に大きな指挿入空間Ｑを確保できると共に、発射モータＭとの隙間Ｖも狭くすることができる。しかし、前記屋根部材Ｆ1 は、別の形態であっても構わない。例えば、図１６の（イ）に示されるように、片側にのみ傾斜する形状の屋根部材Ｆ2 であってもよい。この場合、屋根部材Ｆ2 の形状が簡単なものになるという利点がある。また、図１６の（ロ）に示されるように、フランジ部６５の上縁部を水平にして発射モータＭを取付けてもよい。この場合、屋根部材Ｆ2 の長さを短くできると共に、発射モータＭとの隙間Ｖも狭くできる。
【実施例３】
【００４１】
更に、図１７の（イ）,(ロ）に示される屋根部材Ｆ3 のように、遊技機の奥行方向に下傾させて取付けても構わない。この実施例の場合、発射モータＭは、屋根部材Ｆ3 との隙間Ｖをできるだけ狭くするために、フランジ部６５の上縁部を水平にして取付けることが望ましい。
【図面の簡単な説明】
【００４２】
【図１】遊技機におけるハンドル装置Ａの部分の正面図である。
【図２】同じく概略背面図である。
【図３】ハンドル装置Ａの分解斜視図である。
【図４】ハンドル受け６の正面図である。
【図５】ハンドル装置Ａの側面断面図である。
【図６】発射装置Ｂの全体斜視図である。
【図７】同じく正面図である。
【図８】同じく背面図である。
【図９】モータブラケットＤと槌３４を取り外した状態における発射装置Ｂの正面図である。
【図１０】モータブラケットＤの部分の分解斜視図である。
【図１１】下側の当てゴム５１の部分の分解斜視図である。
【図１２】図９のＸ−Ｘ線断面図である。
【図１３】図１２のＹ−Ｙ線断面図である。
【図１４】モータブラケットＤを破断した状態の発射装置Ｂの正面図である。
【図１５】偏心キャップ体５４を回動させることにより、槌３４と当てゴム４９，５１の当接位置を変化させる作用説明図である。
【図１６】別の実施例の屋根部材Ｆ2 を示す図である。
【図１７】（イ）は別の実施例の屋根部材Ｆ3 の側面図であり、（ロ）は同じく正面図である。
【符号の説明】
【００４３】
Ｄ：モータブラケット
Ｆ1 〜Ｆ3 ：屋根部材
Ｍ：発射モータ
３４：槌
５２：発射モータカム
７１：頂上部（中央部）
【図１】
2005270320.tif 000003
【図２】
2005270320.tif 000004
【図３】
2005270320.tif 000005
【図４】
2005270320.tif 000006
【図５】
2005270320.tif 000007
【図６】
2005270320.tif 000008
【図７】
2005270320.tif 000009
【図８】
2005270320.tif 000010
【図９】
2005270320.tif 000011
【図１０】
2005270320.tif 000012
【図１１】
2005270320.tif 000013
【図１２】
2005270320.tif 000014
【図１３】
2005270320.tif 000015
【図１４】
2005270320.tif 000016
【図１５】
2005270320.tif 000017
【図１６】
2005270320.tif 000018
【図１７】
2005270320.tif 000019